(57)【要約】  本発明は、ねじ山（１６；１１６）がねじ込まれる時に負荷が掛けられるフランク（１８；１１８）に、アーチ形の部分（２０；１２０）が備えられている戻り止めねじに関する。
2013543962.tif 000002
【特許請求の範囲】
【請求項１】
ねじ山（１６；１１６）がねじ込まれる時に負荷が掛けられるフランク（１８；１１８）に、突起（２０；１２０）が備えられていることを特徴とする戻り止めねじ山（１６；１１６）。
【請求項２】
上記突起（２０；１２０）は、各ねじ山の旋回部の一部のみに、または、複数の短い部分に亘って存在していることを特徴とする請求項１に記載の戻り止めねじ山（１６；１１６）。
【請求項３】
上記突起（２０；１２０）は、円弧状の断面を備えていることを特徴とする請求項１または２に記載の戻り止めねじ山（１６；１１６）。
【請求項４】
上記ねじ山（１６；１１６）がねじ込まれる時に、上記突起（２０；１２０）は、当該ねじ山（１６；１１６）とは反対側のねじ山（３２）のフランクとは係合せず、
上記ねじ山（３２）がしっかりと固定された時にのみ、上記突起（２０；１２０）は、上記ねじ山（１６；１１６）とは反対側のねじ山（３２）のフランクに係合するように、上記突起（２０；１２０）の高さが選択されていることを特徴とする請求項１から３のいずれか１項に記載の戻り止めねじ山（１６；１１６）。
【請求項５】
上記ねじ山の特定の位置において、上記ねじ山の上記２つのフランクのそれぞれが突起を備えていることを特徴とする請求項１から３のいずれか１項に記載の戻り止めねじ山（１６；１１６）。
【請求項６】
上記突起（２０；１２０）は、丸い先端部（２２）を有するねじ山がねじ込まれる方向において、テーパが形成されるように構成されていることを特徴とする請求項１から５のいずれか１項に記載の戻り止めねじ山（１６；１１６）。
【発明の詳細な説明】
【発明の詳細な説明】
【０００１】
［分野］
本発明は、例えば、ねじまたはボルトにおける、おねじのねじ山、および、ナットにおける、めねじのねじ山の両方に用いられることが可能な戻り止めねじ山に関するものである。
【０００２】
戻り止めねじの連結については、非常に多くの需要がある。先行技術に基づく締結部材は、環境を汚染するような化学添加剤を含んでいることが多い。さらに、従来技術に基づく締結部材では、締結作用を１回のみしか得ることができない。新規の締結作用を含んだ、再びねじを締めるという作用は、実現されず、新規のねじまたはナットを使うことによって実現することができる。
【０００３】
［背景］
先行技術に由来する他の締結部材は、ヘッドの摩擦を増やすことによって、締結作用を発生させる。例えば、締結作用は、ねじのヘッドの加工品側の下面の外周の突起によって発生する。しかしながら、上記反対の位置は、広範囲に亘ってしばしば機械的にダメージを受ける。締結作用は、さらに軸が沈んでいくことによって減少する。例えば、振動の結果、または熱変動によって、締結作用が減少する。この先行技術に基づいて、本発明の目的は、化学添加剤を必要とせず、反対側のねじ山の可塑性の変形も、軸へのダメージをも、もたらさない戻り止めねじを提供することである。上記発明によって、いかなる時点においても緩めることが可能であり、また、いかなる時点においても再締結することが可能な完全な締結作用を備えた連結が目的とされる。
【０００４】
［発明の概要］
本発明によって、この目的は、ねじ山がねじ込まれる時に負荷が掛けられるフランクに突起が備えられている戻り止めねじ山を使うことによって達成される。
【０００５】
それぞれの場合によって、突起が各ねじ山の旋回部の一部または複数の短い部分に亘っていることが好ましい。過度に強く締結する作用は抑制されており、他の方法によって連結を再締結することはできない。
【０００６】
製造を簡略化するために、突起は円弧状の断面を有する構成であることが好ましい。
【０００７】
もしねじ山の戻り止めの作用が、ねじの連結が締められる時にのみ起こるように要求されているのであれば、ねじ山がねじ込まれる時に、ねじ山とは反対側のねじ山のフランクと突起とが係合するのではなく、ねじ山が締結された後、突起が固定される時に係合するように、突起の高さが選択されることが好ましい。事前に、突起物の高さが正しく選ばれた時、反対側のねじ山が十分な遊びを提供するので、ねじ山は、自由に回転することができる。
【０００８】
しかしながら、本発明では、例えば、可動であるが、取り外し可能な締結を提供するために、締結作用は、ねじまたはナットが停止する前に発生する。そのような場合、ねじ山の特定の位置において、ねじ山の２つのフランクのそれぞれに突起を設けることが好ましい。締結作用は、ねじ山の締結によって起こるプレテンションが無い時であっても、確実に発生する。このようにして、反対側のナットを不要とすることができる。
【０００９】
ねじ山の早まったねじ込みを抑制するために、突起は、丸い先端部を備えたねじ山がねじ込まれる方向にテーパを有するように構成されることが好ましい。
【００１０】
［図面に対する簡単な説明］
図面に示されている実施形態を参照し、本発明は、下記においてより詳細に説明されている。以下に、各図面の説明を示す。
【００１１】
図１は、本発明に係るおねじのねじ山を備えたねじを示している。
【００１２】
図２は、本発明に係るめねじのねじ山を備えたナットを示している。
【００１３】
図３は、加工品のめねじのねじ山と、本発明に係るおねじのねじ山を有するねじとの締結を示している。
【００１４】
図４は、市販のねじと、本発明に係るめねじのねじ山を有するナットとの締結を示している。
【００１５】
［本発明を実施するための最良の方法］
図１は、ねじ１０の立体図である。ねじ１０は、ヘッド１２および軸１４を備えている。軸１４は、本発明に係るおねじのねじ山１６を備えている。本発明によれば、ねじのフランクは、ねじが強く締められた時、力を受ける。すなわち、上記の場合、図１において、上方向を向いているおねじのねじ山１６のフランク１８には、突起２０が設けられている。突起２０は、各ねじ山の旋回部の限定された曲部からねじ山の旋回部までに亘っている。上記の場合、これら突起２０は各々、およそ１２０°づつ、別々に配置されている。すなわち、らせん状の回転部上に３個の突起２０がある。突起は、らせん状の回転部の全体のおよそ三分の一を占めている。突起は、回転方向に、丸い先端を有する鋭敏なテーパを備えるように構成されている。さらに突起は、断面が円弧状となるアーチを形成するように構成されている。
【００１６】
図２は、本発明に係るナット１００を示している。ナット１００は、めねじのねじ山１６を備えている。この場合、ナットが締結される時、負荷を加えられるフランク１１８もまた、突起１２０を移動させる。この場合においても、突起１２０は、全ねじ山の回転部分の短い部分のみに亘っている。この場合、２つの互いに対向した突起のみが、ねじ山の回転部において提供されており、この場合、突起１２０の占める範囲は、全ねじの回転部の八分の一にも満たない。
【００１７】
図３は、本発明に係るおねじのねじ山１６を備えたねじ１０の状態を示している。さらに図３は、ねじ１０が、加工品３０にねじ込まれ、締結されている状態、および、おねじのねじ山１６が、ねじ１０のヘッド（図示せず）と、ならびに、ねじ１０によって締め付けられた加工品３０および別の加工品４０との間に配置されている状態を示している。この詳細な図示によって負荷を受けるおねじのねじ山１６のフランク１８上において、突起２０がどのように配置されているかを、特にはっきりと見ることができる。この場合、突起２０の正確な形状を、特にはっきりと見ることができる。突起２０は、円弧状の断面を有し、少なくともねじ１０がねじ込まれる方向にテーパが設けられており、そして端部に丸い先端部２２を備えている。
【００１８】
図３の下部は、ねじ１０が加工品３０内にねじ込まれた後の状態を示している。さらに、図３では、締結する力により、加工品３０内にある反対側のねじ山３２の力を吸収するフランクの変形が、どのように生じているのかを、非常にはっきりと見ることができる。
【００１９】
ネジがまだねじ込まれている限り、すなわち第二の加工品４０へプレテンション力が及ばない限り、ねじ山１６と３２との間の遊びは、ねじ１０が自由に回転できるためには十分である。ここで、ねじ１０が回転できるには、ねじ山３２の反対側のフランクに係合する突起２０が無くて構わない。しかしながら、図３に示すように、ねじ１０が締結される時、図３のねじ１０のねじ山１６の上部のフランク１８は、図３の加工品３０内の反対側のねじ山３２の下部のフランクに対して押し付けられている。上記に対応する変形は、加工品３０内で生じている。本発明に係る変形は、弾性的な変形のみであって、可塑性の変形ではない。つまり、本発明に係る変形は、図３の突起２０の反対側にある、反対のねじ山３２の下方を向いているフランクの領域の可塑性の変形ではない。上記に対応する弾性的な変形は、加工品３０内にある張力線３４によって示される。クリアランス３６は、ねじ１０を締結することによって完全に下方向へと動かされる。クリアランス３６は、加工品３０内のめねじのねじ山３２への、ねじ山１６のねじ込みを容易にすることができる。
【００２０】
図４は、本発明に係るナット１００と市販のねじ１０’とのねじの締結を示している。ねじ１０’のヘッド１２とナット１００との間に締められている加工品は、図面の簡略化のため、図示されていない。しかしながら、ねじの連結の締結状態は示されている。
【００２１】
図４は、ねじ１０’とナット１００のそれぞれを示した断面図である。図４では、ナットのねじ山１１６のねじ山の旋回部にある突起１２０は、この場合、負荷が掛けられるねじ山１６のフランクにおける弾性的なの変形をどのようにもたらしているのかを、はっきりと見ることができる。この対応する弾性的な変形は、張力線１３４によって示されている。
【００２２】
従って、図面を参照して上記の内容を説明すると、本発明に係る戻り止めねじ山の締結は、対応するねじの連結が締結される時に実現する。そして、その結果、反対側のねじ山のフランクの部分的かつ弾性的な変形によって、対応するプレテンション力が用いられる。この弾性的な変形によって、反対側のねじ山の、負荷が掛けられるねじ山のフランクに、ばね効果が生じる。その結果、変形によってねじを緩める力に反して、本発明に係るねじの連結は、締結される。
【００２３】
本発明に係る突起２０は、上記反対のねじ山において、弾性的な状態で安定する。上記連結が解除される時、反対側のねじ山において、付加的な解除のためのトルクは、必然的に克服される必要がある。この解除のためのトルクは、突起２０の弾性的な安定によって生じる。この“弾性的なの凹凸効果”により、締結が解除される時、反対側のねじ山に確実にダメージが生じない。その結果、新しい部品を使う必要なしに、締結は、いかなる時点においても再締結ができ、かつ、何度も緩め、そして、再締結できる。
【００２４】
さらに、ここで記載されている戻り止めねじは、化学添加剤を必要とせず、ねじ山への可塑性の変形または軸へのダメージが起こらないように、ねじの連結を締結する。締結は、完全な締結効果を付帯し、かち、いかなる時点においても、緩めることができ、また、再び締結することができる。
【００２５】
従って、本発明に係る締結の原理は、反対側のねじ山のフランクの弾性的なの変形に基づいている。本発明に係る上記戻り止めねじは、部分的に、または用途に応じて、特に、ねじ山の全長を超える本発明に係る突起２０を備えている。
【００２６】
ねじの連結が締結される時のプレテンション力による、予想される負荷に応じて、これらの突起は、それぞれのねじ山の上面または下面のいずれかに用いられることが好ましい。もしプレテンション力に関わらず、特定のねじ込み深さにおいて、ねじ山が戻り止めの方法によって締結することが要求されているのであれば、突起は、ねじ山の対応する領域において、両方のフランク上において用いられることが好ましい。そして、これらは、お互いに反対側に作動し、固定するために締結されている間、プレテンション力を要求しない。この方法によって、例えば、緩いねじの連結、例えば、可動のままであることを目的とした部品等は、緩められる回転に反して締結されることが可能である。したがって、本発明に係る解決方法によって、２つのナットは十分に止められることになる。
【００２７】
本発明によれば、突起２０は、ねじ山がねじ込まれる時、反対のねじ山において機械的な変形が永続的に起こらないように構成されている。もし、ねじの連結がプレテンション力によって締結された後にのみ、ねじ山が締結されることが目的であれば、突起２０の高さは、付加的なトルクがなくとも、軸のねじ込みが可能である範囲の限り、決められる。
【００２８】
突起２０、１２０を備えている本発明に係るねじ山の製造は、現在では簡単に行うことができる。その理由は、現在では一般的に、ねじ山は、普通はギザギザをつけられるか、または、丸くされるかのどちらかである。従って、対応する突起２０に対応する凹部は、ミリングまたはローリングの工具を使って、一度に製造する必要がある。その結果、複雑な処理を追加する必要なしに、ねじ山をギザギザにするか、または丸くして、これらの突起を製作することができる。
【図面の簡単な説明】
【００２９】
【図１】本発明に係るおねじのねじ山を備えたねじを示す図である。
【図２】本発明に係るめねじのねじ山を備えたナットを示す図である。
【図３】加工品のめねじのねじ山と、本発明に係るおねじのねじ山を有するねじとの締結を示す図である。
【図４】市販のねじと、本発明に係るめねじのねじ山を有するナットとの締結を示す図である。
【図１】
2013543962.tif 000003
【図２】
2013543962.tif 000004
【図３】
2013543962.tif 000005
【図４】
2013543962.tif 000006
【国際調査報告】
2013543962.tif 000007
2013543962.tif 000008
2013543962.tif 000009
2013543962.tif 000010
2013543962.tif 000011
2013543962.tif 000012